(57)【要約】【課題】  直立型振動マッサージリングにより、女性性機能向上補助具の提供。【解決手段】  一種の女性性機能向上補助具を提供し、それは、直立型振動マッサージリングであり、シリコンゴム弾性軟質材料により、一体成型した外部機構で構成され、上述該外部機構は性器の先端部を嵌めることがきる弾性リング、及び該弾性リングと接続する軟質材料より構成する管状物、該管状物正面外側部は多数個軟質鬚状突起を設け、該管状物内は振動装置を具えたものとする。【選択図】        図２
0003115613.tif 000002
【実用新案登録請求の範囲】
【請求項１】
直立型振動マッサージリングであり、シリコンゴム弾性軟質材料により、一体成型した外部機構で構成され、該外部機構は男性性器の先端部を嵌めることができる弾性リングと、該弾性リングと接続する軟質材料より構成される管状物を包含し、該管状物の内部は振動装置を収納し、振動により女性の局部を高周波数刺激によりマッサージし、その特徴として、外部機構は性器先端部を嵌める弾性リング、該弾性リングの断面は扁平状を呈し、該弾性リングの外部は軟質材料より構成される管状物と接続し、該管状物の軸は弾性リングの円心と同一直線を呈し、該管状物と弾性リングと接続する部位の底端に管状物の管口を設け、管状物の正面外側部には、多数個軟質鬚状突起を有し、該管状物の内部に振動装置を配置し、該振動装置は外ケースを包含し、該外ケースはの内部は小型振動モータと駆動スイッチ及び電池を包含し、該駆動スイッチは振動モータの頂端に位置し、且つ外ケースの端部表面に露出することをを特徴とする女性性機能向上補助具。
【請求項２】
請求項１記載の直立型振動マッサージリングであり、そのうち、該管状物の頂端後側に比較的厚さの薄い制御区域を設け、該制御区域を押すことにより、振動モータを駆動することを特徴とする、女性性機能向上補助具。
【請求項３】
請求項１記載の直立型振動マッサージリングであり、そのうち、振動モータを駆動する小型制御スイッチを特徴とする、女性性機能向上補助具。
【考案の詳細な説明】
【技術分野】
【０００１】
本考案は女性性機能向上補助具に係り、女性の外陰部を刺激することにより、女性性機能を向上する補助具に関するものである。
【背景技術】
【０００２】
一般に市販されている女性性機能向上補助具は図１に示すように主は軟質材料より構成され、男性性器性器の先端部に付けるリングA,リングの一側に接続する軟質材料よりなる管状物B 、該管状物B 内にプラスチックケースC を設け、プラスチックケースC は内部に小型の水銀電池C1、小型振動モータC2及び切り換えスイッチC3を具える。使用時において、性行為の前に、リングA を性器に装着し、並びに管状物（プラスチックC を含む）を性器の上部に横方向で配置して保持する。つづいて、プラスチックケースC 端部の切り替えスイッチC3をONにし、振動モータC2を駆動することにより、プラスチックケースC と管状物B が高周波数振動を発する。それによって、管状物B は性器が陰道に挿入し、性器の先端部が陰道口に接触するとき、クリトリスを高周波数振動によってマッサージするようになり、女性性機能を向上する目的である。
【０００３】
しかしながら、上述補助具は設計上、人体構造による人体工学の原理に基づくものではなく、使用時において、操作が不便である。その欠点の一つは、切り替えスッチC3の設計不良により、使用者が該製品を性器に装着後、細いプラスチックケースC の端部にある切り替えスイッチC3をONの状態に操作することは容易でないことである。欠点のその二は、リングA と管状物B は接線方式により接続するので、水平状の管状物B は垂直する陰道口と横方向で接触するため、振動によりクリトリスを効果的に接触、且つ按摩することが難しく、特に外陰部肥大者に対して、クリトリスを接触することは困難である。
【考案の開示】
【考案が解決しようとする課題】
【０００４】
本考案の主要な目的は、一種の女性性機能向上補助具を提供することにあり、それは性行為において、特殊な嵌め式振動按摩具を用いるものとする。
【０００５】
本考案の次の目的は、一種の女性性機能向上補助具を提供することにあり、それは人体の生理構造により設計し、シリコンゴム弾性軟質材料より一体成型した外部機構を具えたものとする。
【０００６】
上述の目的を達成するため、本考案は一種の女性性機能向上補助具を提供し、それは、上述該外部機構は性器の先端部を嵌めることがきる弾性リング、及び該弾性リングと接続する軟質材料より構成する管状物、該管状物外部は多数個の軟質鬚状突起を設け、該管状物内は振動装置を具えたものとする。
【０００７】
以上の構造が使用される時、振動装置により女性の局部が高周波数振動の按摩刺激により性機能を向上することができる。
【課題を解決するための手段】
【０００８】
請求項１の考案は直立型振動マッサージリングであり、シリコンゴム弾性軟質材料により、一体成型した外部機構で構成され、該外部機構は男性性器の先端部を嵌めることができる弾性リングと、該弾性リングと接続する軟質材料より構成される管状物を包含し、該管状物の内部は振動装置を収納し、振動により女性の局部を高周波数刺激によりマッサージし、その特徴として、外部機構は性器先端部を嵌める弾性リング、該弾性リングの断面は扁平状を呈し、該弾性リングの外部は軟質材料より構成される管状物と接続し、該管状物の軸は弾性リングの円心と同一直線を呈し、該管状物と弾性リング接続する部位の底端に管状物の管口を設け、管状物の正面外側部には、多数個軟質鬚状突起を有し、該管状物の内部に振動装置を配置し、該振動装置は外ケースを包含し、該外ケースはの内部は小型振動モータと駆動スイッチ及び電池を包含し、該駆動スイッチは振動モータの頂端に位置し、且つ外ケースの端部表面に露出することを特徴とする、女性性機能向上補助具である。
請求項２の考案は、請求項１記載の直立型振動マッサージリングであり、そのうち、該管状物の頂端後側に比較的厚さの薄い制御区域を設け、該制御区域を押すことにより、振動モータを駆動することを特徴とする、女性性機能向上補助具である。
請求項３の考案は請求項１記載の直立型振動マッサージリングであり、そのうち、該駆動スイッチは押すことにより、振動モータを駆動する小型制御スイッチを特徴とする、女性性機能向上補助具である。
【考案の効果】
【０００９】
本考案は市販されている図１のような女性性機能補助具の構造を改良し、女性外陰部のマッサージ刺激が行ないやすくしている。
【考案を実施するための最良の形態】
【００１０】
図２に示す立体分解図のように、本考案の構成はシリコンゴム弾性軟質材料より、一体成型した外部機構１０よりなり、該外部機構１０は性器先端部を嵌めることができる弾性リング１１を包含する。該弾性リング１１の断面は扁平状を呈し、その外部は一つの軟質材料より構成される管状物１２と接続する。該管状物１２の軸は弾性リング１１の円心と同一直線を呈し、該管状物１２と弾性リング１１の接続する部位の底端は管状物の管口１２１を設ける。また、該管状物１２の正面外側部は多数個軟質鬚状突起１２２を設け、並びに該管状物１２の頂端後側は一つの厚さが薄い制御区域を設ける。該管状物１２の管口１２０内は一組の振動装置２０を具え、該振動装置２０は一つのカプセル状外ケース２１を包含し、該外ケース内は一つの小型振動モータ２２と駆動スイッチ２３及び一個の扁形水銀電池２４を包含する。駆動スッチ２３は振動モータ２２の頂端に位置し、並びに外ケース２１の端部表面に露出する。
【００１１】
図３に示すように、振動装置２０が組み立てられた後、管口を通して管孔１２０内に押し入れられ、管状物１２の弾性材質の締め付け作用により、振動装置２０を管孔１２０内に固定する。駆動スッチ２３は制御区域１２３の内部近くに位置し、使用する際に、制御区域１２３を押すことによって、振動モータ２２を駆動し、振動装置２０を軟質鬚状突起とともに振動させる。
【００１２】
図４に示すように、実際的使用において、直立する管状物１２により、女性の垂直する陰道口上端の局部（即ち、陰道口上方及びクリトリス部分）を振動刺激し、軟質鬚状突起１２２の高周波数接触によるマッサージすることにより、性機能を向上することができるようになる。
【００１３】
本考案の女性性機能向上補助具は使い捨て型である。
【００１４】
総合すると、本考案の操作が容易である。ゆえに本考案は実用性と進歩性を具えている。
【図面の簡単な説明】
【００１５】
【図１】周知の構造の使用状態立体図である。
【図２】本考案の構造の立体分解図である。
【図３】本考案の断面図である。
【図４】本考案の使用状態立体図である。
【符号の説明】
【００１６】
１０  外部機構    １１  弾性リング    １２  管状物
１２０  管孔      １２１  管口        １２２  軟質鬚状突起
１２３  制御区域
２０  振動装置    ２１  外ケース      ２２振動モータ
２３  駆動スイッチ                    ２４  水銀電池
【図１】
0003115613.tif 000003
【図２】
0003115613.tif 000004
【図３】
0003115613.tif 000005
【図４】
0003115613.tif 000006